(57)【要約】  【課題】コイル状に巻かれた金属板材などを、所要幅ごとに数条切断する、丸刃スリッターの板先誘導に関するものであり、板材先端部を容易かつ安全にスリッター出側まで誘導するための治具棒を提供する。  【解決手段】先端に回転自由なゴムローラー１を取り付けた棒２で、駆動しているスリッター下刃軸上の板材を押さえて、板材を棒２の先端のゴムローラー１と下刃軸で挟み、下刃軸の駆動を利用して、下刃軸に沿って、板材先端を丸刃に誘導し、スリッター出側に板材先端を繰り出す。スリッター入り側で板を押さえるために、スリッター出側で板材が反り上がってしまい、スリッター上刃軸に板材が巻き込まれる不具合を防止するため、棒２に設けたゴムローラー１の前方に、板押さえ３を配す。【選択図】図２
0003173229.tif 000002
【実用新案登録請求の範囲】
【請求項１】
丸刃スリッター下刃の軸４上に板材７を押し付け、スリッター出側へ板材先端を誘導するための治具であって、棒２の先端に回転自由なゴムローラー１を設け、ゴムローラー１の先に、反り返り板巻き込み防止用の板押さえ３を備えた、丸刃スリッター出側への板先端誘導棒。
【考案の詳細な説明】
【技術分野】
【０００１】
本考案は、コイル状に巻かれた金属板材などを、所要幅ごとに数条切断する、丸刃スリッターの出側に板材先端を誘導する治具に関するものである。
【背景技術】
【０００２】
コイル状に巻かれた、金属板材などを所要幅に大量に条切断する方法としては、コイルを巻き出し、上刃と下刃を備えた丸刃スリッターを通して所要幅に切断し、出側にて再度コイル状に巻き取る方法が用いられている。この丸刃スリッターは、所要幅に応じて、刃の間隔を調整して使用する。
【０００３】
条切断される板材は、切断開始時に、スリッター入側から繰り出され、スリッター刃を通過し、スリッター出側に送られて、巻取りリールに巻きつけられることで、入側と出側の間が連続的に通板される。
【０００４】
板材先端を確実に送る方法としては、板先端の反り返りや、変形による通板不具合対策のために、板先を通過させるテーブル上にレールを設けて板材を繰り出す方法が考案されている（例えば特許文献１）
【先行技術文献】
【特許文献】
【０００５】
【特許文献１】実開平５−０４９１１７
【考案の概要】
【考案が解決しようとする課題】
【０００６】
通常、スリッターは駆動式であるが、板先端をスリッター入側から出側に通す際、スリッターの丸刃では、板先端を挟んでスリッター出側に送り出すような拘束力は無い。この対策として、スリッター直前に、ピンチロールを設置し、板をスリッターに送り出す方法も考えられるが、この場合は、板先が下降し、丸刃にうまく入らない不具合が発生してしまう。
【０００７】
特許文献１に示されたような方法で、スリッター直前までテーブルを配する方法も考えられるが、丸刃に対しては、刃の直前までテーブルを配することは困難な場合が多く、板に相応の強度が無い場合、やはり、テーブルと丸刃の間に板材先端が落ち込んでしまい、板材先端をうまく丸刃に誘導することは困難である。
【０００８】
板材先端を手で保持してスリッター入側に誘導すると、駆動しているスリッターに手が巻き込まれる危険がある。この巻き込まれ防止のため、スリッターの駆動を止め、片手でスリッター軸を回しながらもう一方の手で板先端を入側に誘導して作業をすることも考えられるが、駆動軸を手で回すのは非常に重く負荷の高い作業となる。
【課題を解決するための手段】
【０００９】
先端に回転自由なゴムローラー１を取り付けた棒２で、駆動しているスリッター下刃軸４上の板材７を押さえて、板材７を棒２の先端のゴムローラー１と下刃軸４で挟み、下刃軸の駆動を利用して、下刃軸に沿って、板材先端を丸刃に誘導し、スリッター出側に板材先端を繰り出す。
【００１０】
スリッター入側で板を押さえるために、スリッター出側で板材が反り上がってしまい、スリッター上刃軸６に板材が巻き込まれる不具合が発生する恐れがあるが、これを防止するため、棒先端に板押さえ３を配す。
【考案の効果】
【００１１】
下刃の軸駆動力を利用して、直接板材に触れることなく、板材先端をスリッター出側に繰り出せる。棒先端に板押さえがあり、スリッター通過中の板材を押さえることにより板材の反り返り対策もできる。また、板材先端をスリッター入側から出側まで繰り出す時のみに使用するため、設備改造も不要であり、常設の必要が無く、スリッター部の視認性も低下させない。
【図面の簡単な説明】
【００１２】
【図１】板先端誘導棒使用中の図である。
【図２】板先端誘導棒の全体平面図である。
【図３】板先端誘導棒の全体側面図である。
【図４】スリッターの入側（あるいは出側）から見た上下刃一組の図である。
【考案を実施するための最良の形態】
【００１３】
板材先端をスリッター下刃軸上に載せ、板先先端誘導棒のローラーを板上面から押し付け、スリッター軸を駆動させる。スリッターの駆動により、板材先端部をスリッター出側に繰り出せる。板材がスリッター出側で反りあがってしまう場合は、誘導棒の先端に板押さえを配し、板を押さえて、スリッター上刃軸への巻き込まれを防止する。
【符号の説明】
【００１４】
１      ゴムローラー
２      棒
３      板押さえ
４      下刃軸
５      上刃
６      上刃軸
７      板材
８      下刃
【図１】
0003173229.tif 000003
【図２】
0003173229.tif 000004
【図３】
0003173229.tif 000005
【図４】
0003173229.tif 000006
【手続補正書】
【提出日】平成23年6月15日(2011.6.15)
【手続補正１】
【補正対象書類名】実用新案登録請求の範囲
【補正対象項目名】全文
【補正方法】変更
【補正の内容】
【実用新案登録請求の範囲】
【請求項１】
丸刃スリッター下刃の軸上に板材を押し付け、下刃軸の駆動力を利用して、スリッター出側へ板材先端を誘導するための治具であって、棒２の先端に回転自由なゴムローラー１を設け、さらに棒２に設けたゴムローラー１の前方に、反り返り板巻き込み防止用の板押さえ３を備えた、丸刃スリッター出側への板先端誘導棒。
【手続補正書】
【提出日】平成23年7月29日(2011.7.29)
【手続補正１】
【補正対象書類名】実用新案登録請求の範囲
【補正対象項目名】全文
【補正方法】変更
【補正の内容】
【実用新案登録請求の範囲】
【請求項１】
丸刃スリッター下刃の軸上に板材を押し付け、下刃軸の駆動力を利用して、スリッター出側へ板材先端を誘導するための治具であって、棒２の先端に回転自由なゴムローラー１を設け、棒２に設けたゴムローラー１側の棒２先端部に、さらに、反り返り板巻き込み防止用の板押さえ３を、ゴムローラー１の前方にゴムローラー１に干渉しないように備えた、丸刃スリッター出側への板先端誘導棒。
【手続補正２】
【補正対象書類名】明細書
【補正対象項目名】００１４
【補正方法】変更
【補正の内容】
【００１４】
１      ゴムローラー
１ａ  ゴムローラー回転軸
１ｂ  ゴムローラー回転軸止め部（例えばネジ止め）
２      棒
３      板押さえ
３ａ  板押さえと棒２接続固定部（例えば溶接）
４      下刃軸
５      上刃
６      上刃軸
７      板材
８      下刃
【手続補正３】
【補正対象書類名】図面
【補正対象項目名】図２
【補正方法】変更
【補正の内容】
【図２】
0003173229.tif 000007
【手続補正書】
【提出日】平成23年8月30日(2011.8.30)
【手続補正１】
【補正対象書類名】実用新案登録請求の範囲
【補正対象項目名】全文
【補正方法】変更
【補正の内容】
【実用新案登録請求の範囲】
【請求項１】
丸刃スリッター下刃の軸上に板材を押し付け、下刃軸の駆動力を利用してスリッター出側へ板材先端を誘導するための治具であって、回転自由なゴムローラー１を、一端が二股に開放された棒２の二股部分に挟持して軸着し、ゴムローラー１を挟持した棒２の二股形状部分開放側先端部に、ゴムローラー１に接触しないよう凹部を設けた板状の反り返り板材巻き込み防止用の板押え３を、板押え３の板面がゴムローラー１を挟んで棒２と反対側かつゴムローラー回転軸１ａと平行に広がるように凹部をゴムローラー１側に向けて止着して備えた、丸刃スリッター出側への板先端誘導棒。